(57)【特許請求の範囲】
【請求項１】
金型本体の内部に形成された成形キャビティに部材配置部を設け、当該部材配置部にインサート部材を配した状態で成形キャビティ内に溶融状又は液状の樹脂を注入し、成形キャビティ内に充填した前記樹脂を硬化させて所望の成形品を形成するインサート成形方法において、
インサート部材本体と、成形キャビティ内の樹脂が充填される領域を制限可能な調整手段とを一体に具備したインサート部材を、成形キャビティに嵌め込んでインサート部材本体と調整手段がそれぞれ金型に密着するよう金型に配する工程と、
前記調整手段によって制限された領域に樹脂を注入する工程を有することを特徴とするインサート成形方法。
【発明の詳細な説明】
【技術分野】
【０００１】
本発明は、主として浴槽やキッチンカウンターのような水返し部材を一体に取付けた成形品の製造に関するものであり、より詳細には、そのような成形品を製造するためのインサート成形用金型構造及びインサート成形方法に関するものである。
【背景技術】
【０００２】
一般に、浴槽、キッチンカウンター、洗面ボウル、樹脂シンクのような家屋内に配される水回り部材として、隣接する壁等との間に形成される隙間への水の浸入を防止するための水返し部材が取付けられた水回り部材が知られている。
【０００３】
例えば、このような水回り部材として、特許文献１に開示されている浴槽（水回り部材）がある。特許文献１には、金型内の水返し突条（水返し部材）を形成する部分にガラス繊維材で形成される補強部材を配し、金型キャビティ全体に樹脂を充填して硬化させて浴槽を製造する方法が開示されている。即ち、インサート部材である補強部材を予め金型内に配してから、金型内に樹脂を充填させて成形を実施している。そのことにより、内部に補強部材を埋没させた水返し突条と浴槽本体とを一体的に成形している。つまり、この方法によって製造される浴槽は、浴槽本体と水返し突条が一体となっており、浴槽の一部である水返し突条の内部に補強部材が埋没している。
【０００４】
このように、水返し突条の内部に補強部材を配することにより、水返し突条の肉厚を増加させることなく強度を向上させることができる。また水返し突条が一体となった浴槽は、別途に製造した水返し突条と浴槽本体とをビス等で取付けて製造する浴槽に比べて、製造工程を簡略化できると共に止水性を向上させることができる。
【先行技術文献】
【特許文献】
【０００５】
【特許文献１】特開２００９−１５３６０８号公報
【発明の概要】
【発明が解決しようとする課題】
【０００６】
しかしながら、この方法によって、内部に補強部材が埋没した水返し突条を有する浴槽を成形する場合、水返し突条内における補強部材の位置が安定しないという問題が懸念される。即ち、金型内に補強部材を配した状態で樹脂を注入すると、予め配置した補強部材が樹脂に押されて移動してしまい、補強部材の位置がバラついてしまうという問題である。又、後加工により水返し部材を取り付ける場合には作業効率が悪いものであった。
【０００７】
そこで本発明者らは、水返し突条そのものを浴槽本体とは別素材で形成し、水返し突条の一部のみを浴槽本体に埋没させる浴槽を考案した。このような浴槽は、水返し突条の一部が外部に露出しており、他の部分が浴槽本体に埋没した状態となる。換言すると、インサート部材である水返し突条は、樹脂に覆われる部分が一部のみであるため、樹脂で覆われない部分を金型に固定して成形を実施できる。そのため、樹脂によって水返し突条の一部が押されても、水返し突条が大きく移動することはない。又、後加工に比べてインサート成形であるために作業効率は良いものである。
【０００８】
このような浴槽の製造方法について具体的に説明すると、図５で示されるように、金型本体１００に設けた溝状のインサート部材配置部１０１にインサート部材であるところの水返し突条１０２を嵌めこみ、金型１００の内部空間１０３に樹脂を充填する。そして、内部空間１０３に充填した樹脂を硬化させて浴槽を製造する。
【０００９】
ここで、金型本体１００内において、水返し突条１０２の上型よりの部分は内部空間１０３に位置しており、水返し突条１０２の下型よりの部分はインサート部材配置部１０１に嵌め込まれている。そのため、水返し突条１０２の上型よりの部分のみが樹脂に埋没する。このとき、水返し突条１０２の下型より部分が溝に嵌め込まれているため、内部空間１０３に注入した樹脂に水返し突条１０２の上型よりの部分が押されても、水返し突条１０２の位置が大きく変化しない。
【００１０】
ところがこのような浴槽の製造方法によると、図５の矢印で示されるように、充填する樹脂の粘度が低い場合等において、インサート部材配置部１０１と水返し突条１０２との間に形成されるわずかな隙間に樹脂が入り込んでしまうというおそれがあった。即ち、本来は樹脂が入り込まない部分に樹脂が入り込んでしまうことにより、脱型不良や成形品の寸法バラツキが発生してしまうおそれがあった。
【００１１】
そこで本発明は、上記した従来技術の問題に鑑み、インサート部材の周辺に形成されてしまう隙間への樹脂の浸入を確実に防止可能であり、脱型不良や成形品の寸法バラツキ等のない成形を実施可能なインサート成形用金型構造及びインサート成形方法を提供することを課題とする。
【課題を解決するための手段】
【００１２】
上記課題を解決するために記載の発明は、金型本体と、金型本体の内部に形成された成形キャビティを有し、成形キャビティには部材配置部が形成されており、当該部材配置部にインサート部材を配した状態で成形キャビティ内に溶融状又は液状の樹脂を注入し、成形キャビティ内に充填した前記樹脂を硬化させて所望の成形品を形成するインサート成形用金型構造において、前記インサート部材は、インサート部材本体と、成形キャビティ内の樹脂が充填される領域を制限可能な調整手段とを具備しており、インサート部材を部材配置部に配した際、インサート部材本体と部材配置部の間に隙間が形成された場合に、前記調整手段が当該隙間を塞ぐインサート成形用金型構造である。
【００１３】
本発明のインサート成形用金型構造は、樹脂が充填される領域を制限可能な調整手段をインサート部材が具備しており、インサート部材本体と部材配置部の間に形成される隙間への樹脂の浸入をインサート部材の調整手段によって塞ぐことができる。このことにより、金型キャビティ内の必要な部分にのみ樹脂を充填させることができるため、脱型不良や成形品の寸法バラツキ等のないインサート成形を実施可能となる。
【００１４】
他に記載の発明は、浴槽本体の上縁よりインサート部材を上方に突出せしめてなる水返し部をインサート成形により形成してなる浴槽である。
前記部材配置部は、金型外部へと連続する異物排出路と連続しており、前記部材配置部と異物排出路の間に網状体が配されているインサート成形用金型構造である。
【００１５】
かかる構成によると、インサート部材を配置する部材配置部が異物排出路と連続しているため、成形終了後の金型清掃が容易となる。具体的に説明すると、成形終了後の清掃時においては、部材配置部へ廃物を流し込むだけで、廃物を異物排出路から金型の外部へと排出することができる。それに対して成形時においては、インサート部材の調整手段によって部材配置部側への樹脂の浸入を防止可能であるため、部材配置部及び異物排出路へ樹脂が流れない。このことにより、成形時において異物排出路を閉じる必要が無い。換言すると、成形時から成形終了後の清掃時へと移行するとき、異物排出路の開閉動作等が必要ないため、成形、脱型、清掃の一連の作業工程を簡易化することができる。
【００１６】
さらに、かかる構成によると、金型の部材配置部と異物排出路の間に網状体が設けられているため、金型において成形時にインサート部材を配置する部分を、成形後の清掃時においては廃物を排出する排出口として使用することができる。具体的に説明すると、網状体はインサート部材を通過させないが廃物は通過させる。したがって、成形時においては網状体にインサート部材を載置可能であって、清掃時においては網状体の部分から異物排出路へ廃物を排出できる。即ち、成形時と清掃時において、金型内の同じ部分を別の用途で使用可能であるため、清掃時において廃物を排出しやすい金型構造を提供できる。
【００１７】
上記課題を解決するための請求項１に記載の発明は、金型本体の内部に形成された成形キャビティに部材配置部を設け、当該部材配置部にインサート部材を配した状態で成形キャビティ内に溶融状又は液状の樹脂を注入し、成形キャビティ内に充填した前記樹脂を硬化させて所望の成形品を形成するインサート成形方法において、インサート部材本体と、成形キャビティ内の樹脂が充填される領域を制限可能な調整手段とを一体に具備したインサート部材を、成形キャビティに嵌め込んでインサート部材本体と調整手段がそれぞれ金型に密着するよう金型に配する工程と、前記調整手段によって制限された領域に樹脂を注入する工程を有することを特徴とするインサート成形方法である。
【００１８】
本発明のインサート成形方法は、樹脂が充填される領域を制限可能な調整手段を具備したインサート部材を金型に配し、調整手段によって制限された領域に樹脂を注入する。このことにより、金型キャビティ内の必要な部分にのみ樹脂を充填させることができるため、脱型不良や成形品の寸法バラツキ等のないインサート成形を実施可能となる。
【発明の効果】
【００１９】
本発明は、金型キャビティ内の必要な部分にのみ樹脂を充填させることが可能であるため、脱型不良や成形品の寸法バラツキ等のないインサート成形を実施できるという効果がある。又、後加工ではなくインサート成形で水返し部が形成されるために効率が良いものである。
【図面の簡単な説明】
【００２０】
【図１】本発明の第１の実施形態にかかる金型構造を示す説明図である。
【図２】図１の下型にインサート部材を設置した状態を示す、一部破断斜視図である。
【図３】本発明の第１の実施形態にかかる金型構造で成形した浴槽を示す斜視図である。
【図４】本発明の第２の実施形態にかかる金型構造を示す説明図である。
【図５】従来のインサート成形用金型構造を示す説明図である。
【発明を実施するための形態】
【００２１】
以下に、本発明の第１実施形態に係る金型構造について説明する。なお、以下の説明における上下方向は、特に断りのない限り成形型１の通常設置時を基準とする。
【００２２】
本発明の第１の実施形態の金型装置（金型構造）は、予め成形型１（金型本体）内にインサート部材２を配した状態で樹脂を注入し、注入した樹脂を硬化させて成形品を成形する所謂インサート注型成形を実施するものである。なお本実施形態では、成形品は浴槽１５（図３参照）であり、インサート部材２は浴槽に一体的に取付けられる水返し部材となっている。
【００２３】
成形型１は、図１に示すように、上型３と下型４を備えた構成となっている。そして上型３と下型４とを合致させたとき、両者の間に成形キャビティ５が形成される。
【００２４】
ここで、下型４には溝部７（部材配置部）が形成されている。この溝部７は周囲より窪んだ部分となっており、断面略台形で延びる溝である。このとき、溝部７は底部分に向かうにつれて狭まっている。そして、この溝部７の底部分は下型４において最も低い部分となっている。また、図２で示されるように、溝部７は下型４の成形キャビティ５を形成する部分の縁部分に設けられている。より詳細には、溝部７は、四方の縁部分の内の三方の縁部分に設けられ、それぞれ縁部分に沿って延びている。
【００２５】
次に本実施形態の特徴的部材たるインサート部材２について詳細に説明する。
【００２６】
インサート部材２は、図１に示されるように、インサート部材本体９と突起部１０（調整手段）によって形成されている。また、特に限定されるものではないが、本実施形態のインサート部材２は二色成形で形成されている。より詳細には、インサート部材本体９は適宜の熱可塑性樹脂で形成され、突起部１０はエラストマー等の弾性を有する材料で形成されている。即ち、インサート部材本体９と突起部１０は別の材料から形成されている。
【００２７】
インサート部材本体９は、図１，２で示されるように、断面が略長方形で延びる長板状の部材であり、外形が帯状となっている。
【００２８】
突起部１０は、断面が略正方形で延びる直方体であり、インサート部材本体９の側面から略垂直に突出している。
【００２９】
次に、上記した第１の実施形態の金型構造を用いた成形品の成形方法について説明する。
【００３０】
成形キャビティ５に樹脂を注入する前に、図１，２で示されるように、下型４の溝部７に予め製造したインサート部材２を嵌め込んだ状態とする。
【００３１】
このとき、インサート部材２の突起部１０は弾性を有する部材であるため、インサート部材本体９と突起部１０の幅の合計（突起部１０の突出方向におけるインサート部材２の長さ）Ｌ１が溝部７の溝幅よりやや大きい場合であっても、インサート部材２を溝部７に嵌め込むことができる。即ち、突起部１０の形状がやや変形することにより、溝部７にインサート部材２を押し込むことができる。
【００３２】
また、インサート部材２が溝部７に嵌めこまれた状態においては、変形した突起部１０が元に戻ろうとする力が働き、突起部１０がインサート部材本体９及び溝部７の側壁部分を押圧する。そして、図１に示されるように、インサート部材本体９と突起部１０がそれぞれ溝部７の異なる側壁部分と密着する。換言すると、インサート部材２はその幅方向両端部分で溝部７の幅方向両端部分と密着する。つまり、インサート部材２が溝部７の幅方向を密に塞ぐ。このとき、インサート部材２は溝部７の上端近傍を塞いでおり、より詳細には、上端に位置する開口部分と当該開口部分よりやや下方に位置する部分を塞いでいる。
【００３３】
このように、溝部７の上端近傍において溝部７の幅方向を密に塞ぐことにより、インサート部材本体９と溝部７の間に形成される隙間１２の上方が塞がれる。そのため、成形キャビティ５に樹脂を注入しても、上方から隙間１２内へ樹脂が浸入しない。
【００３４】
また、図２で示されるように、溝部７に封止部材１３を配置した状態としてもよい。
【００３５】
封止部材１３は、ＥＰＤＭ（エチレンプロピレンゴム）等の止水性及び弾性を有する部材で形成される外形が略直方体の部材である。
【００３６】
この封止部材１３は、図２で示されるように、インサート部材２の長手方向の端部と密着した状態に配されている。なお、図示を省略しているが、封止部材１３はインサート部材２の長手方向の両端にそれぞれ位置している。
【００３７】
このように、インサート部材２の長手方向の両端に封止部材１３を配すことにより、インサート部材本体９と溝部７の間に形成される隙間１２の長手方向の両端部分が塞がれる。そのため、成形キャビティ５に樹脂を注入しても、インサート部材２の側方から隙間１２内へ樹脂が浸入しない。
【００３８】
また、インサート部材２の長手方向の両端に封止部材１３を配することにより、成形時にインサート部材２が熱膨張してしまった場合においても、熱膨張を吸収することができる。即ち、インサート部材２の熱膨張に伴って封止部材１３が弾性変形することにより、インサート部材２の熱膨張による変形量が相殺される。
【００３９】
そして、下型４にインサート部材２及び封止部材１３を配した状態で、上型３と下型４を型締めすることにより、成形型１の内部に成形キャビティ５が形成される。そして成形キャビティ５に樹脂を充填し、充填した樹脂を硬化させることにより、浴槽１５（図３参照）を成形する。なお封止部材１３は、成形後に成形型１及び成形品たる浴槽１５から除去される。
【００４０】
次に、本発明の第２の実施形態について説明する。なお、上記した第１の実施形態と同様の部分については、同じ番号を付して説明を省略する。
【００４１】
第２の実施形態の成形型２０は、図４に示すように、上型３と下型２１を備えた構成となっている。
【００４２】
本実施形態の下型２１には溝部２２（部材配置部）が形成されている。この溝部２２は、上記した第１の実施形態の溝部７と略同じ形状であり、略同じ位置に形成されている。ここで、溝部２２の下方には成形型の外部と連続する異物排出路２３が設けられている。そして、溝部２２と異物排出路２３は連続している。即ち、図４に示されるように、溝部２２の底部分は開放されており、溝部２２と異物排出路２３が成形型２０の内外を連通する一連の流路を形成している。
【００４３】
また、溝部２２と異物排出路２３の境界となる部分には、メッシュ部材２４（網状体）が配されている。換言すると、本実施形態の溝部２２の底部分はメッシュ部材２４によって形成されている。なお、このメッシュ部材２４の網目はインサート部材２より小さく、インサート部材２がメッシュ部材２４を通過できない状態となっている。
【００４４】
次に、上記した第２の実施形態の金型構造を用いた成形品の成形方法について説明する。なお、上記した第１の実施形態と同様の部分については、同じ説明を省略する。
【００４５】
成形キャビティ５に樹脂を注入する前に、図４で示されるように、下型２１の溝部２２に予め製造したインサート部材２を嵌め込んだ状態とする。
【００４６】
このとき、メッシュ部材２４の網目はインサート部材２より小さいため、メッシュ部材２４上にインサート部材２を載置することができる。そして、上記した第１の実施形態と同様に、インサート部材２が溝部２２の幅方向を密に塞ぐ。このとき、インサート部材２は溝部２２の上端近傍を塞いでおり、より詳細には、上端に位置する開口部分と当該開口部分よりやや下方に位置する部分を塞いでいる。
【００４７】
このように、溝部２２の上端近傍において溝部２２の幅方向を密に塞ぐことにより、インサート部材本体９と溝部２２の間に形成される隙間１２の上方が塞がれる。そのため、成形キャビティ５に樹脂を注入しても、上方から隙間１２内へ樹脂が浸入しない。つまり、成形キャビティ５に注入した樹脂は、異物排出路２３に到達しない。このため、本実施形態の下型２１は、溝部２２の下方を開放したままで成形を実施することができる。
【００４８】
次に、第２の実施形態の金型構造の成形後の清掃作業について説明する。本実施形態の金型構造によると、成形後の清掃作業を容易に行うことができる。
【００４９】
成形終了後の清掃時においては、インサート部材２を下型２１上に載置しないので、溝部２２の上方が開放された状態となっている。加えて、上記したように溝部２２は下型２１の最も低い位置に設けられている。このことにより、例えばエアーブロー等によって下型２１の表面に付着した微細なゴミ等（以下廃物とする）を流すと、廃物は溝部２２側へと流れていく。ここで本実施形態においては、溝部２２の上方が開放されているため、廃物が溝部２２へ流れ込む。そして、溝部２２へ流れ込んだ廃物はメッシュ部材２４を通過して、異物排出路２３へ流れ込み、外部へと排出される。即ち、本実施形態では、溝部２２へ流れ込んだ廃物をそのまま外部へ排出することができる。そのため、廃物の排出口を金型の溝部２２以外の部分に別途形成する構成に比べて、廃物が排出し易く、清掃作業が容易になる。
【００５０】
上記した各実施形態では、インサート部材２が溝部７の上端近傍を塞いでいるが、溝部７を塞ぐ位置はこれに限るものではない。インサート部材２は、溝部７の深さ方向のいずれの部分を塞いでもよい。即ち、突起部１０のインサート部材本体９に対する高さ方向の相対的な位置を変更することにより、溝部７を塞ぐ位置を変更することができる。
【００５１】
本発明のインサート部材２、溝部７、封止部材１３の形状は上記の形状に限るものではない。これらは適宜変更してよい。インサート部材によって、溝部とインサート部材本体に形成される隙間を溝部の幅方向で封止できればよい。また、封止部材も溝部の形状に応じて適宜形状を変更してよい。溝部とインサート部材本体に形成される隙間への樹脂の浸入を阻止できればよい。
【００５２】
上記した各実施形態では、浴槽１５を成形する例を示したが、本発明はこれに限らず、キッチンカウンター、洗面ボウル、樹脂シンク等、様々な成形品の成形に採用することができる。
【符号の説明】
【００５３】
１，２０  成形型（金型本体）
２  インサート部材
５  成形キャビティ
７，２２  溝部（部材配置部）
１０  突起部（調整手段）
１２  隙間
２３  異物排出路
２４  メッシュ部材（網状体）
【図１】
0005796158.tif 000002
【図２】
0005796158.tif 000003
【図３】
0005796158.tif 000004
【図４】
0005796158.tif 000005
【図５】
0005796158.tif 000006